(57)【要約】【課題】簡単な構造により、カード表面の電気接点に触れずにカードを取出すことのできるカード用コネクタを提供する。【解決手段】カバー２０の他端側をカード１の幅方向両端側の一部がカバー２０の外側に露出するように形成したので、カバー２０から露出するカード１の幅方向両端を指先Ａで把持することにより、カード１の表面の電気接点に触れずにカード１を取り出すことができる。この場合、カバー２０の幅方向両端に設けた第１の切り欠き部２６からカード１の一部を露出させるようにしたので、簡単な構造により、カード１を容易に取り出すことができる。【選択図】　図１２
2004055387.tif 000002
【特許請求の範囲】
【請求項１】
任意のカードを上面側に保持するコネクタ本体と、コネクタ本体のカード保持面を開閉するカバーと、コネクタ本体とカバーとの間に保持されたカードに電気的に接触する端子とを備え、カバーの一端側をコネクタ本体に回動自在に連結し、カバーの幅方向両端側にはカードをカバーに沿って抜き差し自在に保持するカード保持部を設けたカード用コネクタにおいて、
前記カバーの他端側をカードの幅方向両端側の一部がカバーの外側に露出するように形成した
ことを特徴とするカード用コネクタ。
【請求項２】
前記カバーの幅方向両端に設けた切り欠き部からカードの一部を露出させるように形成した
ことを特徴とするカード用コネクタ。
【発明の詳細な説明】
【０００１】
【発明の属する技術分野】
本発明は、例えば携帯電話機等に用いられるＳＩＭカードを接続するためのカード用コネクタに関するものである。
【０００２】
【従来の技術】
従来、この種のカード用コネクタとしては、例えば特開平１０−１０６６７４号公報に記載されているように、任意のカードを上面側に保持するコネクタ本体と、コネクタ本体のカード保持面を開閉するカバーと、コネクタ本体とカバーとの間に保持されたカードに電気的に接触する複数の端子とを備え、カバーの一端側をコネクタ本体に回動自在に連結したものが知られている。
【０００３】
このコネクタでは、カバーの幅方向両端側に略Ｌ字状に屈曲した一対のカード保持部を設け、カードを装填する際はカバーに沿ってカードを挿入することにより、カードを各カード保持部によってカバーに保持した後、カードを保持したカバーをコネクタ本体側に閉じることにより、カードがカバーとコネクタ本体との間に保持されて各端子と接触するようになっている。
【０００４】
【発明が解決しようとする課題】
しかしながら、前記コネクタでは、カバーがカードの上面全体を覆うように形成されているため、カードを取出す際、カードの下面に指先を接触させながら引き出さなければならない。このため、カード表面の電気接点に手の油等が付着し、カードの表面が汚れて接触不良の原因になるという問題点があった。
【０００５】
また、カバーを開くとカードがカバーから離れるようにした機構を設けることにより、カードの表面に触れずにカードの幅方向両端を把持して取出せるようにしたものもあるが、このような機構を用いる場合には、構造が複雑になるという欠点がある。
【０００６】
本発明は前記問題点に鑑みてなされたものであり、その目的とするところは、簡単な構造により、カード表面の電気接点に触れずにカードを取出すことのできるカード用コネクタを提供することにある。
【０００７】
【課題を解決するための手段】
本発明は前記目的を達成するために、請求項１では、任意のカードを上面側に保持するコネクタ本体と、コネクタ本体のカード保持面を開閉するカバーと、コネクタ本体とカバーとの間に保持されたカードに電気的に接触する端子とを備え、カバーの一端側をコネクタ本体に回動自在に連結し、カバーの幅方向両端側にはカードをカバーに沿って抜き差し自在に保持するカード保持部を設けたカード用コネクタにおいて、前記カバーの他端側をカードの幅方向両端側の一部がカバーの外側に露出するように形成している。
【０００８】
これにより、カバーから露出するカードの幅方向両端を指先で把持することにより、カードの表面の電気接点に触れずにカードを取り出すことができる。
【０００９】
また、請求項２では、カード用コネクタにおいて、前記カバーの幅方向両端に設けた切り欠き部からカードの一部を露出させるように形成している。
【００１０】
これにより、請求項１の作用に加え、カバーの幅方向両端に設けた切り欠き部から露出するカードを指先で把持することにより、カードを容易に取り出すことができる。
【００１１】
【発明の実施の形態】
図１乃至図１１は本発明の一実施形態を示すもので、図１及び図２はカード用コネクタの斜視図、図３及び図４はその平面図、図５及び図６はその底面図、図７はその側面図、図８はその正面断面図、図９はカバーの開閉動作を示すカード用コネクタの側面図、図１０及び図１１はカード用コネクタの側面断面図、図１２はカードの取出し方法を示すカード用コネクタの平面図である。
【００１２】
このコネクタは、上面側にカード１を保持するコネクタ本体１０と、コネクタ本体１０のカード保持面を開閉するカバー２０と、コネクタ本体１０とカバー２０との間に保持されたカード１と電気的に接触する複数の端子３０とから構成されている。
【００１３】
カード１は、いわゆるＳＩＭカード等のＩＣカードからなり、例えば電話加入者識別用のモジュールとして携帯電話機に用いられるものである。カード１の表面には計６つの接点１ａが設けられ、各接点１ａを介してコネクタと電気的に接触するようになっている。
【００１４】
コネクタ本体１０は板状に形成された合成樹脂の一体成型品からなり、その各端子３０が配置される複数の端子孔１１が設けられ、各端子孔１１はカード１の各接点１ａにそれぞれ対応するように計２列に配列されている。
【００１５】
カバー２０は金属製の板状部材からなり、その幅方向両端にはコネクタ本体１０側に折曲げられた側面部２１がそれぞれ形成されている。各側面部２１の一端側はカバー２０の本体側よりもやや長く延び、その先端側にはコネクタ本体１０の側面に回動自在に連結される連結部２２が設けられている。各側面部２１の一部にはカード１を保持するカード保持部２３がそれぞれ設けられ、各カード保持部２３はカバー２０の一部を幅方向内側に向かって略Ｌ字状に折り曲げることによって形成されている。各カード保持部２３にはカード１をカバー２０の下面側に圧接させる弾性変形可能な圧接部２３ａが設けられ、圧接部２３ａはカード保持部２３からカード挿入方向に板状に延びるように形成されている。この場合、圧接部２３ａの基端側はカバー２０の下面側に向かって傾斜するように形成され、その先端側はカバー２０の下面の反対側に向かって傾斜するように形成されている。また、カバー２０の一端側にはカード１の一端と嵌合可能な嵌合部２４が設けられ、嵌合部２４はカバー２０の一部を断面略コ字状に折り曲げることによって形成されている。更に、カバー２０の他端側にはカード１の他端と係止可能な係止部２５が設けられ、係止部２５はカバー２０の一部をＬ字状に折り曲げることによって形成されている。カバー２０の他端側はコネクタ本体１０よりも長く形成され、その幅方向両側にはカード１の一部を露出させる第１の切り欠き部２６が設けられている。更に、カバー２０の他端の幅方向中央には半円状の第２の切り欠き部２７が設けられ、第２の切り欠き部２７からもカード１の一部が露出するようになっている。
【００１６】
各端子３０は略Ｕ字状に屈曲した導電性の金属板からなり、コネクタ本体１０の各端子孔１１に取付けられている。各端子３０の一端側には上方に突出するように湾曲する接触部３０ａが形成され、各接触部３０ａはそれぞれコネクタ本体１０の各端子孔１１から上方へ突出している。この場合、各端子３０は接触部３０ａが上下方向に変位するように弾性変形可能に形成されている。また、各端子３０の他端はコネクタ本体１０の下面側を前後方向に延び、図示しない基板等に接続されるようになっている。
【００１７】
以上のように構成されたコネクタおいては、図９（ａ）　に示すように開放状態のカバー２０の下面に沿ってカード１を挿入し、カバー２０をコネクタ本体１０側に閉じると、カード１がカバー２０とコネクタ本体１０との間に保持され、カード１が各端子３０に接触して電気的に導通する。
【００１８】
その際、カバー２０の下面側にカード１を挿入すると、カード１が各カード保持部２３によって保持されるとともに、各カード保持部２３の圧接部２３ａがカード１との接触により下方に弾性変形し、各圧接部２３ａがその弾性力によりカード１に圧接する。この場合、圧接部２３ａの基端側はカバー２０の下面側に向かって傾斜しているため、この傾斜に案内されて圧接部２３ａがカード１に押圧されながら弾性変形する。また、カード１をカバー２０の一端側まで挿入すると、カード１の一端がカバー２０の嵌合部２４に嵌合するとともに、カバー２０の係止部２５がカード１の他端側に係止可能に位置する。
【００１９】
また、カード１を取外す場合は、図１２（ａ）　に示すように各第１の切り欠き部２６から露出したカード１の一部を幅方向両側から指先Ａで把持し、図１２（ｂ）　に示すようにカード１をカバー２０から引き抜くことにより、カード１が取出される。
【００２０】
その際、第２の切り欠き部２７から露出するカード１の他端側を押し下げながら引き抜くことにより、カード１が係止部２５に係止することなく取出される。また、圧接部２３ａの先端側はカバー２０の下面の反対側に向かって傾斜しているため、カード１をカバー２０から抜き取る際に圧接部２３ａの先端がカード１に接触することがない。
【００２１】
このように、本実施形態のカード用コネクタによれば、カバー２０の他端側をカード１の幅方向両端側の一部がカバー２０の外側に露出するように形成したので、カバー２０から露出するカード１の幅方向両端を指先Ａで把持することにより、カード１の表面の電気接点に触れずにカード１を取り出すことができる。従って、カード１の表面に手の油が付着することがなく、接触不良の原因となるカード１の汚れを確実に防止することができる。
【００２２】
この場合、カバー２０の幅方向両端に設けた第１の切り欠き部２６からカード１の一部を露出させるようにしたので、簡単な構造により、カード１を容易に取り出すことができ、製造面において極めて有利である。
【００２３】
【発明の効果】
以上説明したように、請求項１のカード用コネクタによれば、カバーから露出するカードの幅方向両端を指先で把持することにより、カードの表面の電気接点に触れずにカードを取り出すことができるので、カードの表面に手の油が付着することがなく、接触不良の原因となるカードの汚れを確実に防止することができる。
【００２４】
また、請求項２のカード用コネクタによれば、請求項１の効果に加え、簡単な構造により、カードを容易に取り出すことができるので、製造面において極めて有利である。
【図面の簡単な説明】
【図１】本発明の一実施形態を示すカード用コネクタの斜視図
【図２】カード挿入状態を示すカード用コネクタの斜視図
【図３】カード用コネクタの平面図
【図４】カード挿入状態を示すカード用コネクタの平面図
【図５】カード用コネクタの底面図
【図６】カード挿入状態を示すカード用コネクタの底面図
【図７】カード用コネクタの側面図
【図８】カード用コネクタの正面断面図
【図９】カバーの開閉動作を示すカード用コネクタの側面図
【図１０】カード用コネクタの側面断面図
【図１１】カード挿入状態を示すカード用コネクタの側面断面図
【図１２】カードの取出し方法を示すカード用コネクタの平面図
【符号の説明】
１…カード、１０…コネクタ本体、２０…カバー、２３…カード保持部、２６…第１の切り欠き部、３０…端子。
【図１】
2004055387.tif 000003
【図２】
2004055387.tif 000004
【図３】
2004055387.tif 000005
【図４】
2004055387.tif 000006
【図５】
2004055387.tif 000007
【図６】
2004055387.tif 000008
【図７】
2004055387.tif 000009
【図８】
2004055387.tif 000010
【図９】
2004055387.tif 000011
【図１０】
2004055387.tif 000012
【図１１】
2004055387.tif 000013
【図１２】
2004055387.tif 000014